【手続補正書】
【提出日】平成16年4月28日(2004.4.28)
【手続補正１】
【補正対象書類名】明細書
【補正対象項目名】００２１
【補正方法】変更
【補正の内容】
【００２１】
この請求項６に記載の発明によれば、濃度が大きく変化するエッジ部の検出精度が高いため、乳房辺縁部付近を的確に抽出することができる。このため、乳腺領域辺縁部分に基準信号値を設定することによって安定した濃度で出力することができる。
【手続補正２】
【補正対象書類名】明細書
【補正対象項目名】００３９
【補正方法】変更
【補正の内容】
【００３９】
この請求項１５に記載の発明によれば、濃度が大きく変化するエッジ部の検出精度が高いため、乳房辺縁部付近を的確に抽出することができる。このため、乳腺領域辺縁部分に基準信号値を設定することによって安定した濃度で出力することができる。
【手続補正３】
【補正対象書類名】明細書
【補正対象項目名】００５２
【補正方法】変更
【補正の内容】
【００５２】
読取制御部４８はコントローラ１０と接続されており、読取制御部４８では、コントローラ１０から供給された制御信号ＣＴＤに基づいて走査制御信号ＲＣや出力制御信号ＳＣを生成する。この制御信号ＣＴＤに基づいて走査駆動部４４に供給されて、走査制御信号ＲＣに基づき走査線４１５-1〜４１５-mに対しての読取信号ＲＳの供給が行われる。また、出力制御信号ＳＣは画像データ生成部４６に供給される。この読取制御部４８からの走査制御信号ＲＣや出力制御信号ＳＣによって、例えば撮像パネル４１が上述のように（ｍ×ｎ）この検出素子４１２で構成されている場合には、検出素子４１２-(1,1)〜４１２-(m,n)からの電気信号ＳＶに基づくデータをデータＤＰ(1,1)〜ＤＰ(m,n)とすると、データＤＰ(1,1)、ＤＰ(1,2)、・・・・・ＤＰ(1,n)、ＤＰ(2,1)、・・・・・、ＤＰ(m,n)の順として画像データＤＴが生成されて、この画像データが生成されて、この画像データＤＴが画像データ生成部４６から読取制御部４８に供給される。また、読取制御部４８では、この画像データＤＴをコントローラ１０に送出する処理も行う。
【手続補正４】
【補正対象書類名】明細書
【補正対象項目名】００５８
【補正方法】変更
【補正の内容】
【００５８】
フィルタ６６は集光体６５より導入された光から輝尽発光波長領域の光のみを通過させるものであり、このフィルタ６６を通過した光は、フォトマルチプライヤ６７に入射される。フォトマルチプライヤ６７では、光電変換によって入射光に対応した電流信号を生成する。この電流信号は、電流／電圧変換部７０に供給されて電圧信号に変換される。さらに、電圧信号は増幅部７１で増幅された後、Ａ／Ｄ変換部７２でディジタルの画像データＤＴに変換される。ここで、増幅部７１として対数変換増幅部（ｌｏｇアンプ）を用いる。画像データＤＴは、画像処理装置８０において順次画像処理されて、画像処理後の画像データＤＴＣがインタフェース８２を介してプリンタ８３に伝送される。
【手続補正５】
【補正対象書類名】明細書
【補正対象項目名】００５９
【補正方法】変更
【補正の内容】
【００５９】
ＣＰＵ（Ｃｅｎｔｒａｌ  Ｐｒｏｃｅｓｓｉｎｇ  Ｕｎｉｔ）８１は、画像処理装置８０における画像処理を制御するためのものであり、画像処理装置８０では、画像データＤＴに対して種々の画像処理（例えば空間周波数処理、ダイナミックレンジの圧縮、階調処理、拡大／縮小、移動、回転、統計処理等）を行い、診断に適した形の画像データＤＴＣを生成する。この画像データＤＴＣがプリンタ８３に供給されて、プリンタ８３から人体各部の放射線画像のハードコピーを得ることができる。なお、インタフェース８２にＣＲＴ等のモニタを接続するものとしても良く、更に複数の放射線画像の画像データを記憶できる記憶装置（ファイリングシステム）を接続するものとしても良い。
【手続補正６】
【補正対象書類名】明細書
【補正対象項目名】００６２
【補正方法】変更
【補正の内容】
【００６２】
次に、コントローラ１０の構成を図４に示す。コントローラ１０の動作を制御するためのＣＰＵ（Ｃｅｎｔｒａｌ  Ｐｒｏｃｅｓｓｉｎｇ  Ｕｎｉｔ）１１にはシステムバス１２と画像バス１３が接続されると共に、入力インタフェース１７が接続される。このコントローラ１０の動作を制御するためのＣＰＵ１１は、メモリ１４に記憶された制御プログラムに基づいて動作が制御される。システムバス１２と画像バス１３には、表示制御部１５、フレームメモリ制御部１６、出力インタフェース１８、撮影制御部１９、ディスク制御部２０等が接続されており、システムバス１２を利用しＣＰＵ１１によって各部の動作が制御されると共に、画像バス１３を介して各部間での画像データの転送等が行われる。
【手続補正７】
【補正対象書類名】明細書
【補正対象項目名】００６５
【補正方法】変更
【補正の内容】
【００６５】
フレームメモリ２１からディスク制御部２０に画像データが供給される際には、例えば連続して画像データが読み出されてディスク制御部２０内のＦＩＦＯメモリに書き込まれ、その後順次ディスク装置２３に記録される。さらに、フレームメモリ２１から読み出された画像データやディスク装置２３から読み出された画像データを出力インタフェース１８を介して外部機器９０に供給することもできる。
【手続補正８】
【補正対象書類名】明細書
【補正対象項目名】００６７
【補正方法】変更
【補正の内容】
【００６７】
入力インタフェース１７にはキーボード等の入力装置２７が接続される。この入力装置２７を操作することで、撮影によって得られた画像データを識別するための情報や撮影に関する情報等の管理情報の入力が行われる。出力インタフェース１８に接続される外部機器９０としては、レーザーイメージャとも呼ばれる走査型レーザ露光装置が用いられる。この走査型レーザ露光装置では、画像データによりレーザビーム強度を変調し、従来のハロゲン化銀写真感光材料や熱現象ハロゲン化銀写真感光材に露光した後適切な現像処理を行うことによって放射線画像のハードコピーが得られるものである。
【手続補正９】
【補正対象書類名】明細書
【補正対象項目名】００６９
【補正方法】変更
【補正の内容】
【００６９】
次に、動作について説明する。被写体５の放射線画像を得る際には、放射線発生器３０と放射線画像読取器４０の撮像パネル４１の間に被写体５が位置するものとされて、放射線発生器３０から放射された放射線が被写体５に照射されると共に、被写体５を透過した放射線画撮像パネル４１に入射される。なお、放射線画像読取器４０に替えて放射線画像読取器６０を用いた場合の説明は省略する。
【手続補正１０】
【補正対象書類名】明細書
【補正対象項目名】００８５
【補正方法】変更
【補正の内容】
【００８５】
図５に示す実施の形態の画像処理部２６は、乳房領域を認識する乳房領域認識手段１００と、この乳房領域認識手段１００によって認識された乳房領域内を解析する乳房領域内解析手段１０１と、この乳房領域内解析手段１０１によって得られた解析結果に基づいて関心領域を決定する関心領域決定手段１０２と、関心領域内の情報に基づいて基準信号値を決定する基準信号値決定手段１０３を有し、基準信号値に基づいて画像処理手段１０４により画像処理を行う。乳房領域内解析手段１０１は、局所領域において閾値を決定する局所領域閾値決定手段１０１ａを有している。
【手続補正１１】
【補正対象書類名】図面
【補正対象項目名】図５
【補正方法】変更
【補正の内容】
【図５】
2001238868.tif 000001